(57)【要約】【課題】切換開閉器を構成する真空バルブのオフ動作開始点がばらつくのを防止した真空バルブ式負荷時タップ切換装置を提供する。【解決手段】切換開閉器ＳＷを構成する真空バルブＭ２を駆動する主カム機構の外に、補助駆動バネ２２と、真空バルブがオフ状態にされる前に補助駆動バネ２２を蓄勢し、真空バルブをオフ状態にする際に補助駆動バネの蓄勢力を解放して駆動軸４に与える補助駆動カム機構を設ける。真空バルブＭ２をオフ状態にする際に、補助駆動バネ２２の付勢力を駆動軸４に与えることにより、駆動軸４にかかる負荷トルクを軽減して、真空バルブのオフ動作を確実に行わせる。【選択図】　　図　７【特許請求の範囲】
【請求項１】
調整変圧器に設けられたタップを選択するタップ選択器と、前記調整変圧器のタップを切り換える際に流れるタップ間短絡電流を制限する限流抵抗器と、前記タップ選択器を通して流れる電流をオンオフするタップ選択器用真空バルブと前記限流抵抗器の投入及び切り離しを行う限流抵抗器用真空バルブとを有する切換開閉器と、駆動バネの蓄勢力の解放により駆動されてタップ切換時に一定角度だけ回転駆動される駆動軸と、前記切換開閉器を構成する各真空バルブのオン時に各真空バルブの可動コンタクトと固定コンタクトとの間に接触圧力を与えるべく各真空バルブの可動軸を付勢するワイプバネと、各真空バルブの可動軸に連結機構を介して連結された各真空バルブ用の主従動ローラと、前記駆動軸に取り付けられて該駆動軸の回転に伴って前記切換開閉器を構成する真空バルブを所定のシーケンスで動作させるように各真空バルブ用の主従動ローラを変位させる主駆動カムとを備えた負荷時タップ切換装置において、
補助駆動バネと、前記駆動軸に取り付けられた補助駆動カムと、前記補助駆動バネに連結機構を介して連結されて前記補助駆動カムのカム面に当接させられた補助従動ローラとを具備し、
前記切換開閉器の各真空バルブをオフ状態にする過程よりも前の過程で前記補助駆動バネを蓄勢する側に前記補助従動ローラを変位させ、各真空バルブをオフ状態にする過程では前記補助駆動バネの付勢力を駆動軸に付与する側に前記補助従動ローラを変位させるように前記補助駆動カムのカム面が形成されていること、
を特徴とする真空バルブ式負荷時タップ切換装置。
【請求項２】
前記切換開閉器の切換動作が開始された直後に行われる前記補助駆動バネの蓄勢過程の一部が、タップ切換動作開始後最初にオン状態にされる真空バルブの可動軸を付勢するワイプバネの蓄勢力が解放される過程とオーバラップするように前記補助駆動カムのカム面が形成されていること、
を特徴とする請求項１に記載の真空バルブ式負荷時タップ切換装置。
【請求項３】
調整変圧器に設けられた奇数タップ及び偶数タップをそれぞれ選択する奇数タップ選択器及び偶数タップ選択器と、タップ切換の過程で流れるタップ間短絡電流を制限する限流抵抗器と、前記奇数タップ選択器を通して流れる負荷電流及び偶数タップ選択器を通して流れる負荷電流をそれぞれオンオフする奇数タップ選択器用真空バルブ及び偶数タップ選択器用真空バルブと前記限流抵抗器の投入及び切り離しを行う限流抵抗器用真空バルブとを有する切換開閉器と、駆動バネの蓄勢力により駆動されて選択するタップを奇数タップから偶数タップに切り換える際及び選択するタップを偶数タップから奇数タップに切り換える際にそれぞれ一方向及び他方向に一定角度だけ回転駆動される駆動軸と、前記切換開閉器を構成する各真空バルブのオン時に各真空バルブの可動コンタクトと固定コンタクトとの間に接触圧力を与えるように各真空バルブの可動軸を付勢するワイプバネと、各真空バルブの可動軸に連結機構を介して連結された各真空バルブ用の主従動ローラと、奇数タップを選択している状態から偶数タップを選択する状態に切り換える過程では前記偶数タップ選択器が所定の偶数タップを選択している状態で前記限流抵抗器用真空バルブをオン状態にする動作と前記奇数タップ選択器用真空バルブをオフ状態にする動作と前記偶数タップ選択器用真空バルブをオン状態にする動作と前記限流抵抗器用真空バルブをオフ状態にする動作とを順次行わせ、偶数タップを選択している状態から奇数タップを選択する状態に切り換える過程では前記奇数タップ選択器が所定の奇数タップを選択している状態で前記限流抵抗器用真空バルブをオン状態する動作と前記偶数タップ選択器用真空バルブをオフ状態にする動作と前記奇数タップ選択器用真空バルブをオン状態にする動作と前記限流抵抗器用真空バルブをオフ状態にする動作とを順次行わせるように前記主従動ローラを駆動する主駆動カムとを備えた負荷時タップ切換装置において、
補助駆動バネと、前記駆動軸に取り付けられた補助駆動カムと、前記補助駆動バネに連結機構を介して連結されて前記補助駆動カムのカム面に当接させられた補助従動ローラとを具備し、
奇数タップを選択している状態から偶数タップを選択する状態に切り換える過程では、前記限流抵抗器用真空バルブをオン状態にする過程を含む過程で前記補助駆動バネを蓄勢する側に前記補助従動ローラを変位させる動作と、前記奇数タップ選択器用真空バルブをオフ状態にする過程で前記補助駆動バネの付勢力を前記駆動軸に付与する側に前記補助従動ローラを変位させる動作と、前記偶数タップ選択器用真空バルブをオン状態にする過程を含む過程で前記補助駆動バネを蓄勢する側に前記補助従動ローラを変位させる動作と、前記限流抵抗器用真空バルブをオフ状態にする過程で前記補助駆動バネの付勢力を前記駆動軸に付与する側に前記補助従動ローラを変位させる動作とを順次行わせ、偶数タップを選択している状態から奇数タップを選択する状態に切り換える過程では、前記限流抵抗器用真空バルブをオン状態にする過程を含む過程で前記補助駆動バネを蓄勢する側に前記補助従動ローラを変位させる動作と、前記偶数タップ選択器用真空バルブをオフ状態にする過程で前記補助駆動バネの付勢力を前記駆動軸に付与する側に前記補助従動ローラを変位させる動作と、前記奇数タップ選択器用真空バルブをオン状態にする過程を含む過程で前記補助駆動バネを蓄勢する側に前記補助従動ローラを変位させる動作と、前記限流抵抗器用真空バルブをオフ状態にする過程で前記補助駆動バネの付勢力を前記駆動軸に付与する側に前記補助従動ローラを変位させる動作とを順次行わせるように、前記補助駆動カムのカム面が形成されていること、
を特徴とする負荷時タップ切換装置。
【発明の詳細な説明】
【０００１】
【発明の属する技術分野】
本発明は、切換開閉器を構成するスイッチとして真空バルブを用いる真空バルブ式負荷時タップ切換装置に関するものである。
【０００２】
【従来の技術】
真空バルブ式の負荷時タップ切換装置は、例えば、特開平１１−３２９８７１号に示されているように、調整変圧器に設けられた奇数タップ及び偶数タップをそれぞれ選択する奇数タップ選択器及び偶数タップ選択器と、タップ切換の過程で流れるタップ間短絡電流を制限する限流抵抗器と、奇数タップ選択器を通して流れる負荷電流及び偶数タップ選択器を通して流れる負荷電流をそれぞれオンオフする奇数タップ選択器用真空バルブ及び偶数タップ選択器用真空バルブと限流抵抗器の投入及び切り離しを行う限流抵抗器用真空バルブとを有する切換開閉器と、この切換開閉器を駆動する駆動装置とにより構成される。
【０００３】
切換開閉器を駆動する駆動装置としては、選択する調整変圧器のタップを奇数タップから偶数タップに切り換える際に一方向に一定角度だけ回転駆動され、選択するタップを偶数タップから奇数タップに切り換える際に他方向に一定角度だけ回転駆動される駆動軸と、切換開閉器を構成する各真空バルブのオン時に各真空バルブの可動コンタクトと固定コンタクトとの間に接触圧力を与えるように各真空バルブの可動軸を付勢するワイプバネと、限流抵抗器用真空バルブ、奇数タップ用真空バルブ及び偶数タップ用真空バルブを所定のシーケンスで動作させるように各真空バルブの可動軸を駆動するカム機構とを備えたものが多く用いられている。
【０００４】
上記カム機構は、例えば、各真空バルブの可動軸に連結機構を介して連結された各真空バルブ用の主従動ローラと、上記駆動軸に取り付けられて、奇数タップを選択している状態から偶数タップを選択する状態に切り換える過程では偶数タップ選択器が所定の偶数タップを選択している状態で限流抵抗器用真空バルブをオン状態にする動作と奇数タップ選択器用真空バルブをオフ状態にする動作と偶数タップ選択器用真空バルブをオン状態にする動作と限流抵抗器用真空バルブをオフ状態にする動作とを順次行わせ、偶数タップを選択している状態から奇数タップを選択する状態に切り換える過程では奇数タップ選択器が所定の奇数タップを選択している状態で限流抵抗器用真空バルブをオン状態する動作と偶数タップ選択器用真空バルブをオフ状態にする動作と奇数タップ選択器用真空バルブをオン状態にする動作と限流抵抗器用真空バルブをオフ状態にする動作とを順次行わせるように主従動ローラを駆動する主駆動カムとにより構成される。
【０００５】
上記駆動軸は、電動機などにより蓄勢される駆動バネの蓄勢力により駆動されて、所定の回転角度範囲を一気に回転させられる。
【０００６】
【発明が解決しようとする課題】
従来の真空バルブ式負荷時タップ切換装置では、切換開閉器を構成する各真空バルブをオフ状態にする際に、真空バルブの固定コンタクトと可動コンタクトとを接触状態に保つように真空バルブの可動軸を付勢するワイプバネの付勢力に抗して真空バルブの可動軸を変位させる必要があるため、主従動ローラが主駆動カムのカム面の山を越える際に大きなトルクを必要とする。
【０００７】
一方、駆動バネにより駆動される駆動軸の駆動特性（駆動トルクと回転角度との間の関係）は、駆動軸の回転角度の増大に伴って駆動トルクが増大していく特性であるため、切換開閉器の切換動作が開始された後、最初に真空バルブをオフ状態にする際には、駆動軸から真空バルブに与えられる駆動トルクが、真空バルブをオフ状態にするために必要な負荷トルクに対して不足気味になり、その真空バルブのオフ動作の開始点がばらつくことがあるという問題があった。
【０００８】
本発明の目的は、切換開閉器の切換動作を開始した後、最初に真空バルブをオフ状態にする際に駆動トルクが不足する状態が生じないようにして、真空バルブのオフ動作の動作開始点がばらつくのを防止することができるようにした真空バルブ式負荷時タップ切換装置を提供することにある。
【０００９】
【課題を解決するための手段】
本発明は、調整変圧器に設けられたタップを選択するタップ選択器と、調整変圧器のタップを切り換える際に流れるタップ間短絡電流を制限する限流抵抗器と、タップ選択器を通して流れる電流をオンオフするタップ選択器用真空バルブと限流抵抗器の投入及び切り離しを行う限流抵抗器用真空バルブとを有する切換開閉器と、駆動バネの蓄勢力の解放により駆動されてタップ切換時に一定角度だけ回転駆動される駆動軸と、切換開閉器を構成する各真空バルブのオン時に各真空バルブの可動コンタクトと固定コンタクトとの間に接触圧力を与えるべく各真空バルブの可動軸を付勢するワイプバネと、各真空バルブの可動軸に連結機構を介して連結された各真空バルブ用の主従動ローラと、駆動軸に取り付けられて該駆動軸の回転に伴って切換開閉器を構成する真空バルブを所定のシーケンスで動作させるように各真空バルブ用の主従動ローラを変位させる主駆動カムとを備えた負荷時タップ切換装置を対象とする。
【００１０】
本発明においては、補助駆動バネと、駆動軸に取り付けられた補助駆動カムと、補助駆動バネに連結機構を介して連結されて補助駆動カムのカム面に当接させられた補助従動ローラとを設ける。そして、切換開閉器の各真空バルブをオフ状態にする過程よりも前の過程で補助駆動バネを蓄勢する側に補助従動ローラを変位させ、真空バルブをオフ状態にする過程では補助駆動バネの付勢力を駆動軸に付与する側に補助従動ローラを変位させるように補助駆動カムのカム面を形成する。
【００１１】
上記のように構成すると、真空バルブをワイプバネの付勢力に抗してオフ状態にする際に、補助駆動バネの付勢力を駆動軸側に与えて、真空開閉器のオフ動作を行う際に駆動軸にかかる負荷トルクを軽減することができるため、切換開閉器の切換動作を開始した後、最初に真空バルブをオフ状態にする際に、駆動トルクが不足するのを防いで、真空バルブのオフ動作を確実に行わせることができ、真空バルブのオフ動作開始点がばらつくのを防ぐことができる。
【００１２】
本発明の好ましい態様では、切換開閉器の切換動作を開始した直後に行う補助駆動バネの蓄勢過程の一部を、タップ切換動作開始後、最初にオン状態にされる真空バルブの可動軸を付勢するワイプバネの蓄勢力が解放される過程とオーバラップさせるように補助駆動カムのカム面を形成する。
【００１３】
このように、切換開閉器の切換動作が開始された直後の補助駆動バネの蓄勢を、真空バルブの可動軸を付勢するワイプバネの蓄勢力を解放する過程で行うようにすると、ワイプバネの付勢力を補助駆動バネの蓄勢に利用することができるため、駆動軸の回転を開始した直後の駆動トルクが比較的小さい期間においても、補助駆動バネに十分に大きな力を蓄えて、続いて行われる真空バルブのオフ動作を確実に行わせることができる。
【００１４】
一般に用いられている負荷時タップ切換装置においては、調整変圧器に設けられるタップを奇数タップと偶数タップとに分けて、奇数タップと偶数タップとを交互に選択する構成がとられる。
【００１５】
この場合、負荷時タップ切換装置は、調整変圧器に設けられた奇数タップ及び偶数タップをそれぞれ選択する奇数タップ選択器及び偶数タップ選択器と、タップ切換の過程で流れるタップ間短絡電流を制限する限流抵抗器と、奇数タップ選択器を通して流れる負荷電流及び偶数タップ選択器を通して流れる負荷電流をそれぞれオンオフする奇数タップ選択器用真空バルブ及び偶数タップ選択器用真空バルブと限流抵抗器の投入及び切り離しを行う限流抵抗器用真空バルブとを有する切換開閉器と、駆動バネの蓄勢力により駆動されて選択するタップを奇数タップから偶数タップに切り換える際及び選択するタップを偶数タップから奇数タップに切り換える際にそれぞれ一方向及び他方向に一定角度だけ回転駆動される駆動軸と、切換開閉器を構成する各真空バルブのオン時に各真空バルブの可動コンタクトと固定コンタクトとの間に接触圧力を与えるように各真空バルブの可動軸を付勢するワイプバネと、各真空バルブの可動軸に連結機構を介して連結された各真空バルブ用の主従動ローラと、奇数タップを選択している状態から偶数タップを選択する状態に切り換える過程では偶数タップ選択器が所定の偶数タップを選択している状態で限流抵抗器用真空バルブをオン状態にする動作と奇数タップ選択器用真空バルブをオフ状態にする動作と偶数タップ選択器用真空バルブをオン状態にする動作と限流抵抗器用真空バルブをオフ状態にする動作とを順次行わせ、偶数タップを選択している状態から奇数タップを選択する状態に切り換える過程では奇数タップ選択器が所定の奇数タップを選択している状態で限流抵抗器用真空バルブをオン状態する動作と偶数タップ選択器用真空バルブをオフ状態にする動作と奇数タップ選択器用真空バルブをオン状態にする動作と限流抵抗器用真空バルブをオフ状態にする動作とを順次行わせるように主従動ローラを駆動する主駆動カムとを備えた構成を有する。
【００１６】
このような負荷時タップ切換装置に本発明を適用する場合には、補助駆動バネと、駆動軸に取り付けられた補助駆動カムと、補助駆動バネに連結機構を介して連結されて補助駆動カムのカム面に当接させられた補助従動ローラとを設けて、奇数タップを選択している状態から偶数タップを選択する状態に切り換える過程では、限流抵抗器用真空バルブをオン状態にする過程を含む過程で補助駆動バネを蓄勢する側に補助従動ローラを変位させる動作と、奇数タップ選択器用真空バルブをオフ状態にする過程で補助駆動バネの付勢力を駆動軸に付与する側に補助従動ローラを変位させる動作と、偶数タップ選択器用真空バルブをオン状態にする過程を含む過程で補助駆動バネを蓄勢する側に補助従動ローラを変位させる動作と、限流抵抗器用真空バルブをオフ状態にする過程で補助駆動バネの付勢力を駆動軸に付与する側に補助従動ローラを変位させる動作とを順次行わせ、偶数タップを選択している状態から奇数タップを選択する状態に切り換える過程では、限流抵抗器用真空バルブをオン状態にする過程を含む過程で補助駆動バネを蓄勢する側に補助従動ローラを変位させる動作と、偶数タップ選択器用真空バルブをオフ状態にする過程で補助駆動バネの付勢力を駆動軸に付与する側に補助従動ローラを変位させる動作と、奇数タップ選択器用真空バルブをオン状態にする過程を含む過程で前記補助駆動バネを蓄勢する側に前記補助従動ローラを変位させる動作と、限流抵抗器用真空バルブをオフ状態にする過程で補助駆動バネの付勢力を駆動軸に付与する側に補助従動ローラを変位させる動作とを順次行わせるように、補助駆動カムのカム面を形成する。
【００１７】
【発明の実施の形態】
以下図面を参照して本発明の実施の形態を説明する。図１は本発明の実施形態のタップ切換動作開始時における要部の構成を示した平面図、図２は図１の実施形態で用いる主駆動カムを同図のＡ２−Ａ２線に沿って断面して示した断面図、図３は図１の実施形態で用いる主駆動カムを同図のＡ３−Ａ３線に沿って断面して示した断面図、図４は本発明の実施形態のタップ切換動作終了時における要部の構成を示した平面図、図５は図４のＡ５−Ａ５線に沿って断面して示した主駆動カムの断面図、図６は図４のＡ６−Ａ６線に沿って断面して示した主駆動カムの断面図、図７は図４のＡ７−Ａ７線断面図、図８は、図７を下方から見て示した要部の底面図、図９（Ａ）ないし（Ｆ）は本発明が対象とする負荷時タップ切換装置の動作を示す説明図、図１０は本発明の実施形態で用いる切換開閉器の駆動装置の駆動軸の回転角に対する負荷トルク特性と、真空バルブの動作シーケンスとを示したグラフである。
【００１８】
先ず図９（Ａ）ないし（Ｆ）を参照して、本発明が対象とする負荷時タップ切換開閉装置の電気的な構成の一例とその動作とを説明する。図９（Ａ）ないし（Ｆ）において、ＴｓｆはＵ，Ｖ，Ｗ３相のうちの第１相（Ｕ相）の調整変圧器で、この調整変圧器は、その一次巻線に奇数タップｔ１（図示せず。），…，ｔ５，ｔ７，ｔ９と、偶数タップｔ２（図示せず。），…，ｔ６，ｔ８とを有している。
【００１９】
Ｂ１は奇数タップに接続された固定接触子に接触して所定の奇数タップを選択する奇数タップ側タップ選択器、Ｂ２は偶数タップに接続された固定接触子に接触して所定の偶数タップを選択する偶数タップ選択器であるる。
【００２０】
またｒはタップ切換の過程で流れるタップ間短絡電流を制限するために設けられた限流抵抗器で、図示の例では、この限流抵抗器の一端が偶数タップ選択器Ｂ２に接続されている。
【００２１】
Ｍ１，Ｍ２及びＲは真空バルブで、Ｍ１は奇数タップ選択器Ｂ１とＵ相の線路に接続される電源端子Ｔｕとの間に接続されて奇数タップ選択器Ｂ１を通して流れる電流をオンオフする奇数タップ選択器用真空バルブ、Ｍ２は偶数タップ選択器Ｂ２と電源端子Ｔｕとの間に接続されて偶数タップ選択器Ｂ２を通して流れる電流をオンオフする偶数タップ選択器用真空バルブ、Ｒは限流抵抗器Ｒの他端と電源端子Ｔｕとの間に接続されて限流抵抗器の投入と切り離しとを行う限流抵抗器用真空バルブである。
【００２２】
この負荷時タップ切換装置においては、真空バルブＭ１，Ｍ２及びＲにより、切換開閉器ＳＷが構成され、この切換開閉器を駆動する駆動装置が設けられている。即ち、図示の負荷時タップ切換装置は、大きく分けて、切換開閉器ＳＷと、タップ選択器Ｂ１，Ｂ２と、タップ選択器の駆動機構及び切換開閉器の駆動機構とを備えた駆動装置（図９には図示せず。）とにより構成されている。
【００２３】
タップを切り換える際には、切換開閉器とタップ選択器とを所定のシーケンスで動作させて、タップ選択器で無電流の状態でタップを選択し、切換開閉器により、調整変圧器の回路を切り離すことなく、限流抵抗器を投入してタップ間短絡電流を抑制しつつ、負荷電流を新たに選択したタップに移して、タップ切換を行う。
【００２４】
ここで、選択するタップを奇数タップｔ７から偶数タップｔ６に切り換えるものとして、タップ切換動作を説明する。最初、図９（Ａ）に示すように、奇数タップ選択器Ｂ１がタップｔ７に接続されている固定接触子のタップｔ９側の端部付近に接触し、偶数タップ選択器Ｂ２がタップｔ８に接続されている固定接触子のタップｔ６側の端部付近に接触し、更に真空バルブＭ１がオン状態を保持して、タップｔ７を選択しているものとする。この状態から、先ず図９（Ｂ）に示すように、奇数タップ選択器Ｂ１をタップｔ７に接続されている固定接触子との接触を保ちつつ該固定接触子のタップｔ５側の端部付近まで移動させながら、偶数タップ選択器Ｂ２をタップｔ８に接続された固定接触子からタップｔ６に接続された固定接触子に移動させる。このとき真空開閉器Ｍ２及びＲはオフ状態にあるため、タップ選択器Ｂ２の移動は無電流状態で（アークの発生を伴うことなく）行われる。
【００２５】
次いで、図９（Ｃ）に示すように、切換開閉器ＳＷの限流抵抗器用真空バルブＲをオン状態にする。このときタップｔ７，ｔ６間が限流抵抗器ｒと、真空バルブＲ及びＭ１とにより橋絡されるため、限流抵抗器ｒにより制限されたタップ間短絡電流（タップ間循環電流）が流れるが、調整変圧器の一次巻線の負荷電流はタップｔ７を通して流れている。
【００２６】
次に、図９（Ｄ）に示すように、真空バルブＭ１がオフ状態にされる。これにより限流抵抗器を通してタップ間が橋絡される状態が解消され、負荷電流は限流抵抗器ｒとタップｔ６とを通して流れるようになる。
【００２７】
次いで、図９（Ｅ）に示すように、偶数タップ選択器用真空バルブＭ２がオン状態にされ、負荷電流が真空バルブＭ２とタップｔ６とを通して流れるようになる。
【００２８】
その後、図９（Ｆ）に示すように真空バルブＲがオフ状態にされ、タップｔ７からタップｔ６へのタップ切換動作が完了する。
【００２９】
図９に示した切換動作のうち、（Ａ）及び（Ｂ）に示したタップ選択器の選択動作は、タップ選択器の駆動機構の動作により行われ、（Ｃ）ないし（Ｆ）の切換開閉器の切換動作は、絶縁材料からなる駆動軸が駆動バネの蓄勢力により駆動されて一定の角度範囲を瞬時に回転する間に一気に行われる。
【００３０】
選択するタップをｔ７からｔ６に切り換えた後、続いてｔ５に切り換える場合には、タップ選択器Ｂ１をタップｔ５に接続された固定接触子に移動させ、タップ選択器Ｂ２をタップｔ６のタップｔ４（図９には図示せず。）寄りの位置に移動させた後、駆動軸の逆回転により図９の（Ｆ）から（Ｂ）までの動作を一気に行わせることにより、切換開閉器の切換動作を行う。
【００３１】
このように、タップを同方向に切り換えていく場合には、タップ選択器Ｂ１とＢ２とを交互に次のタップへと移動させた後、駆動軸を一方向及び他方向に交互に回転させて（Ｂ）ないし（Ｆ）の切換動作及び（Ｆ）ないし（Ｂ）の切換動作を交互に行わせて、１タップずつタップ切換を行う。
【００３２】
またタップの切換方向を逆方向に反転させる場合、１タップ目の切換時には、タップ選択器の駆動機構に設けられたゼネバ機構などの遊び機構によりタップ選択器は動作せず、切換開閉器の切換動作のみが行われる。例えば、タップをｔ７からｔ６に切り換えた後、ｔ７に切り換える場合には、タップ選択器が動作せずに、駆動軸の逆回転により図９の（Ｆ）から（Ｂ）の切換開閉器の切換動作のみが行われて、タップ切換が行われる。
【００３３】
上記切換開閉器の動作シーケンスの一例を図１０の（Ｂ）下部に示した。図１０（Ｂ）の横軸は、駆動軸の回転角度を示し、縦軸は真空バルブのオンオフの状態を示している。この例では、駆動軸が８０度回転する間に切換開閉器の一連の切換動作が行われる。
【００３４】
図１０（Ａ）は、駆動軸にかかる負荷トルク［Ｋｇｍｍ］と駆動バネにより与えられる駆動トルクとを駆動軸の回転角度［°］に対して示したもので、同図のａは駆動バネにより駆動軸に与えられる駆動トルクを示し、ｂ１ないしｂ４は、駆動軸にかかる負荷トルクを示している。
【００３５】
上記切換開閉器の切換動作のうち、切換開閉器の各真空バルブをオフ状態からオン状態にする際には、その真空バルブのコンタクトを所定の接触圧力をもたせて接触状態に保つために真空バルブの可動軸を常時投入側に付勢しているワイプバネの蓄勢力が解放されるため、駆動軸にかかる負荷トルクは図１０（Ａ）に示したｂ１及びｂ３のようにマイナスになる。これに対し、各真空バルブをオン状態からオフ状態に切り換える際には、ワイプバネの付勢力に抗して真空バルブの可動軸を引き外し側に変位させる必要があるため、図１０（Ａ）のｂ２及びｂ４のように、駆動軸に大きな負荷トルクがかかる。
【００３６】
一方、駆動バネにより駆動軸に与えられる駆動トルクａは、駆動軸の回転角度の増大に伴ってほぼ直線的に上昇していくため、切換開閉器の切換動作が開始された後、最初に真空バルブＭ１をオフ状態する際には、駆動軸にかかる負荷トルクｂ２と駆動軸の駆動トルクａとの間に僅かな差しかない。このように、切換開閉器の切換動作を開始した後、最初に真空バルブをオフ状態にする際には、駆動バネから駆動軸に与えられる駆動トルクに余裕がないため、真空バルブＭ１のオフ動作が行われるタイミングがばらつくことがある。本発明は、このような問題を解消することを目的としたもので、本発明においては、駆動軸が回転する過程で蓄勢と蓄勢力の解放とが行われる補助駆動バネを設けて、真空バルブをオフ状態にする際に、この補助駆動バネの蓄勢力を解放させることにより、駆動軸の回転を補助して、真空バルブのオフ動作を余裕を持たせて行わせるようにしたものである。図１０（Ａ）において、ｃ１ないしｃ４は、本発明において新たに設けられた補助駆動バネから駆動軸にかかる負荷トルクを示している。補助駆動バネの作用については、後で詳細に説明する。
【００３７】
次に、図１ないし図８を参照して本実施形態で用いる切換開閉器の駆動機構の１相分の構成を説明する。図１、図４及び図７において、Ｍ１及びＭ２はそれぞれ奇数タップ選択器用真空バルブ及び偶数タップ選択器用真空バルブであり、Ｒは限流抵抗器用真空バルブである。
【００３８】
各真空バルブは、気密保持構造の容器１と、容器１内に収容された固定コンタクト及び直線変位形の可動コンタクトと、可動コンタクトを操作する可動軸２とを備えた周知のものである。各真空バルブは、その可動軸２が容器１側（投入側）に変位させられたときにオン状態になり、可動軸２が容器１と反対側（引き外し側）に変位させられたときにオフ状態になる。
【００３９】
真空バルブＭ１，Ｒ及びＭ２は、それぞれの中心軸線（可動軸２の中心軸線）Ｏ１，Ｏ２及びＯ３を同一平面上で放射方向に向けた状態で配置されて、フレーム３（図７参照）に適宜の手段により支持されている。
【００４０】
フレーム３にはまた、図示しない駆動バネにより駆動されて一定の角度範囲（本実施形態では８０°）を往復回転させられる駆動軸４が支持されている。駆動軸４は絶縁材料からなっていて、その中心軸線Ｏ４を、真空バルブＭ１，Ｒ及びＭ２の中心軸線Ｏ１ないしＯ３の交点Ｏを通り、中心軸線Ｏ１ないしＯ３と直交する直線に一致させた状態で配置されて、図示しない軸受けによりフレーム３に回転自在に支持されている。
【００４１】
駆動軸４には、該駆動軸４と中心軸線を共有する円弧に沿って延びるカム面５ａを有する主駆動カム５が取り付けられている。図２、図３、図５及び図６に示したように、主駆動カム５は、駆動軸４に嵌装されて該駆動軸に固定されるボス部５０１と、該ボス部５０１の軸線方向の一端に一体に形成された扇形のカム板部５０２とを有し、カム板部５０２の外周部の端面にカム面５ａが形成されている。
【００４２】
フレーム３にはまた、真空バルブＭ１，Ｒ及びＭ２のそれぞれの可動軸２の前方に位置させた状態で、３つの支持金具６がボルト７及びナット８により取り付けられ、これらの支持金具に設けられた腕部６ａの先端に、Ｌ字形に形成された主駆動レバー９の角部がピン１０により支持されている。主駆動レバー９の一端には、ピン１１が取り付けられ、このピン１１は、対応する真空バルブの可動軸２の先端に設けられた先端部材２ａに設けられた孔に遊嵌されている。主駆動レバー９の他端には主従動ローラ１２が回転自在に支持され、３つの真空バルブＭ１，Ｒ及びＭ２のそれぞれに対応する主駆動レバー９に取り付けられた３つの主従動ローラ１２が、駆動軸４の軸線と平行な方向に向いた主駆動カム５のカム面５ａに当接されている。
【００４３】
また各真空バルブの可動軸２の先端部材２ａと対応する支持金具６との間にワイプバネ１３が圧縮された状態で配置され、このワイプバネの付勢力により、各真空バルブの可動軸２が常時投入方向（真空バルブの可動コンタクトを固定コンタクト側に変位させようとする方向）に付勢されるとともに、主従動ローラ１２が常時カム面５ａ側に付勢されている。
【００４４】
本実施形態では、主駆動レバー９と、ピン１０及び１１と、支持金具６とにより、各真空バルブの可動軸２を主従動ローラ１２に連結する連結機構が構成されている。また主駆動カム５と主従動ローラ１２とにより、切換開閉器の切換動作を所定の順序で行わせるように切換開閉器を構成する真空バルブを駆動する主カム機構が構成されている。
【００４５】
本実施形態においては、タップ選択器が所定のタップを選択した後、駆動軸４を一方向または他方向に８０°回転させた際に、図９（Ｂ）ないし（Ｆ）の切換動作または図９（Ｆ）ないし（Ｂ）の動作が順次行われるように、主駆動カム５のカム面が形成されている。
【００４６】
図７に示した例では、主駆動カム５のカム面５ａが図面上主従動ローラ１２を押し上げた際に主駆動レバー９がワイプバネの付勢力に抗して図面上反時計方向に回動して真空バルブの可動軸２を引き外し側（真空バルブをオフ状態にする側）に変位させる。また、主駆動カムのカム面５ａが主従動ローラ１２を下方に変位させた際に、主駆動レバー９が時計方向に回動して可動軸２を投入側に変位させる。
【００４７】
このように、主駆動レバー９が時計方向に回動して可動軸２を投入側に変位させる際には、ワイプバネ１３の付勢力により、主駆動レバー９と主従動ローラ１２と主駆動カム５とを通して駆動軸４に駆動トルクが与えられる。
【００４８】
ワイプバネ１３を蓄勢するために必要なトルクは、駆動軸４に負荷トルクとして作用するが、ワイプバネ１３の蓄勢力が解放される際に該ワイプバネから駆動軸４に与えられる駆動トルクは、駆動軸４に作用する負荷トルクを軽減するように（負荷トルクの一部を相殺するように）働く。
【００４９】
本実施形態ではまた、フレーム３の支持金具６が取り付けられた面（真空バルブが取り付けられた面）と反対側の面に補助駆動レバー取り付け金具１５が取り付けられ、この取り付け金具１５に設けられた腕部１５ａの先端にＬ字形の補助駆動レバー１６の角部がピン１７を介して支持されている。
【００５０】
また駆動軸４の端部に補助駆動カム１８が取り付けられている。図７及び図８に示したように、補助駆動カム１８は、駆動軸４に嵌装されて該駆動軸に対して固定されたボス部１８Ａと、ボス部１８Ａの軸線方向の一端に一体に形成されたカム板部１８Ｂとからなり、カム板部１８Ｂの側面に駆動軸４の径方向と直交する面を有するカム面１８ａが形成されている。
【００５１】
また補助駆動レバー１６の一端に補助従動ローラ１９が回転自在に取り付けられ、この補助従動ローラ１９が補助駆動カム１８のカム面１８ａに当接されている。
【００５２】
補助駆動レバー１６の他端にはバネ受け部材２０がピン２１により取り付けられ、バネ受け部材２０と補助駆動レバー取り付け金具１５のフレーム３側の部分との間に補助駆動バネ（圧縮バネ）２２が取り付けられている。
【００５３】
図８に示したように、補助駆動カム１８のカム面１８ａは、頂部が平坦に形成されて所定の角度間隔をもって配置された２つの山部１８ａ１及び１８ａ２と、これらの山部の裾部の間をつなぐように設けられた平坦部１８ａ３とを有している。
【００５４】
本実施形態では、補助駆動レバー１６と、補助駆動レバー取り付け金具１５と、ピン１７及び２１とにより、補助従動ローラ１９を補助駆動バネ２２に連結する連結機構が構成されている。また補助駆動カム１８と補助従動ローラ１９とにより、切換開閉器を構成する真空バルブがオフ状態にされる前に補助駆動バネ２２を蓄勢し、真空バルブをオフ状態にする際に補助駆動バネの蓄勢力を解放して駆動軸４に与える補助駆動カム機構が構成されている。
【００５５】
本実施形態においては、図示しない駆動バネの付勢力により駆動軸４を一方向または他方向に一定角度（図示の例では８０°）回転させたときに、補助駆動カム１８のカム面の山部１８ａ１及び１８ａ２のそれぞれの登り斜面が補助従動ローラ１９との接触を保つ過程で、補助駆動レバー１６が図７において時計方向に回動させられて補助駆動バネ２２を蓄勢する。
【００５６】
また、駆動軸４の回転に伴って、補助駆動カム１８のカム面の山部１８ａ１及び１８ａ２のそれぞれの下り斜面が補助従動ローラ１９との接触を保つ過程で、補助駆動レバー１６が図７において反時計方向に回動しながら補助駆動バネ２２の蓄勢力を解放する。このように、補助駆動バネ２２の蓄勢力が解放される過程では、補助駆動バネ２２からカム板部１８Ｂを通して駆動軸４に駆動トルクが与えられる。補助駆動バネ２２から駆動軸４に与えられる駆動トルクは、真空バルブ及びワイプバネにより駆動軸４に与えられる負荷トルクを軽減するように（負荷トルクの一部を相殺するように）働く。
【００５７】
なお図７は、図４のＡ７−Ａ７線に沿って断面して示した断面図であるが、図４のＢ７−Ｂ７線またはＣ７−Ｃ７線に沿って示した断面図は、補助駆動カム１８の向きが異なる点及び図中に現れる真空バルブが異なる点などを除き、図７と同様の図になる。
【００５８】
本発明においては、上記のように、補助駆動バネ２２と、切換開閉器を構成する真空バルブを駆動する駆動軸４に取り付けられた補助駆動カム１８と、補助駆動バネ２２に連結機構を介して連結されるとともに補助駆動カム１８のカム面に当接させられた補助従動ローラ１９とを設けて、切換開閉器ＳＷの各真空バルブをオフ状態にする過程よりも前の過程で補助駆動バネ２２を蓄勢する側に補助従動ローラ１９を変位させ、各真空バルブをオフ状態にする過程で補助駆動バネ２２の付勢力を駆動軸４に付与する側に補助従動ローラ１９を変位させるように、補助駆動カム１８のカム面１８ａを形成する。
【００５９】
図１０（Ａ）のｃ１，ｃ２，ｃ３及びＣ４は、補助駆動バネ２２により駆動軸にかかる負荷トルクの一例を示したものである。図示の例では、駆動軸４が０°から１２．７°まで回転する区間で、駆動軸４から補助駆動バネ２２に駆動トルクを与えて、補助駆動バネ２２を蓄勢している。この区間では、補助駆動バネ２２を蓄勢するために必要とするトルクが正の負荷トルクとして駆動軸にかかる。図示の例では、符号ｂ１で示したように、補助駆動バネ２２を蓄勢する過程の途中で、８．５°の位置から真空バルブＲをオン状態にする動作が開始され、ワイプバネ１３の蓄勢力の解放が開始されている。このときワイプバネ１３の付勢力により真空バルブＲ側から駆動軸４に与えられる駆動トルクは、補助駆動バネ２２を蓄勢するために必要とされる負荷トルクｃ１と相殺されるため、駆動軸４の回転が開始された直後で、未だ駆動トルクが比較的小さい区間においても、補助駆動バネ２２の蓄勢は支障なく行われる。
【００６０】
図１０（Ａ）のｂ１’は、補助駆動バネ２２を蓄勢するために必要な負荷トルクの一部と相殺した後の真空バルブＲのマイナスの負荷トルク（駆動軸４側に与えられるトルク）を示している。
【００６１】
図１０（Ａ）に示した例では、その後駆動軸４が２４．３°から３６．５°まで回転する区間において補助駆動バネ２２の蓄勢力を解放し、この区間でワイプバネ１３の付勢力に抗して、真空バルブＭ１をオフ状態にする動作を行わせている。このように、補助駆動バネ２２の蓄勢力を解放させる区間で真空バルブＭ１のオフ動作を行わせるようにすると、真空バルブをオフ状態にするために必要な負荷トルク（主としてワイプバネ１３を蓄勢するために必要な負荷トルク）ｂ２の一部が補助駆動バネ２２から駆動軸４側に与えられる駆動トルク（マイナスの負荷トルク）と相殺されるため、真空バルブＲをオフ状態にするために必要な負荷トルクは見かけ上図示のｂ２’のように軽減される。従って、切換開閉器ＳＷの切換動作が開始された後、駆動軸４の駆動トルクが比較的小さい区間において、真空バルブＲをオフ状態にする際に必要とする負荷トルクｂ２’と駆動軸の駆動トルクａとの差を大きくすることができ、駆動軸の駆動トルクに十分な余裕を持たせた状態で真空バルブのオフ動作を行わせることができる。従って、切換開閉器の切換動作を開始した後、最初に行われる真空バルブのオフ動作を確実に行わせることができ、該真空バルブのオフ動作が行われるタイミングがばらつくといった問題が生じるのを防ぐことができる。
【００６２】
図１０に示した例では、２４．３°から３６．５°までの区間で補助駆動バネの蓄勢力を解放させた後、符号ｃ３で示したように、４３．０°から５５．７°の区間で補助駆動バネ２２の蓄勢を行わせ、６７．３°から８０°までの区間で符号ｃ４で示したように補助駆動バネ２２の蓄勢力の解放を行わせている。また４０．９°から５２．１°の区間において、真空バルブＭ２のオン動作を行わせ、６７．３°から真空バルブＲのオフ動作を開始させている。
【００６３】
真空バルブＭ２のオン動作が行われる区間のうち、後半の４３．０°から５２．１°までの区間は、補助駆動バネを蓄勢する区間の一部とオーバラップしているため、ワイプバネの蓄勢力の解放により生じるマイナスの負荷トルクｂ３の一部が補助駆動バネを蓄勢するために必要な負荷トルクと相殺され、真空バルブＭ２をオン状態にする際に生じるマイナスの負荷トルクの大きさはｂ３’のように減少させられる。
【００６４】
また６７．３°の位置から真空バルブＲのオフ動作を行わせる際には、真空バルブＲの負荷トルクｂ４の一部が補助駆動バネの蓄勢力の解放による生じるマイナスの負荷トルクと相殺されるため、真空バルブＲのオフ動作時の負荷トルクはｂ４’のように軽減される。
【００６５】
上記のように、少なくとも、切換開閉器の切換動作を開始した後、最初に補助駆動バネを蓄勢する過程を、真空バルブをオン状態にするためにワイプバネの蓄勢力を解放する過程とオーバラップさせるようにすると、ワイプバネから駆動軸側に与えられるトルクを補助駆動バネの蓄勢に利用することができるため、駆動軸の回転を開始した直後の駆動トルクが小さい期間においても補助駆動バネに十分に大きな力を蓄えることができる。しかしながら、本発明はこのように構成する場合に限定されるものではなく、補助駆動バネを蓄勢する過程と、真空バルブをオン状態にするためにワイプバネの蓄勢力を解放する過程とを全くオーバラップさせないように補助駆動カムのカム面を構成する場合も本発明の範囲に包含される。
【００６６】
本発明においては、切換開閉器の各真空バルブをオフ状態にする過程よりも前の過程で補助駆動バネを蓄勢する側に補助従動ローラを変位させ、各真空バルブをオフ状態にする過程で補助駆動バネの付勢力を駆動軸に付与する側に補助従動ローラを変位させるように補助駆動カムのカム面が形成されていればよい。
【００６７】
上記の例では、限流抵抗器ｒを偶数タップ選択器Ｂ２と電源端子Ｔｕとの間に接続しているが、限流抵抗器ｒを奇数タップ選択器Ｂ１と電源端子Ｔｕとの間に接続するようにしてもよい。
【００６８】
また本発明は、切換開閉器を構成するスイッチとして真空バルブを用いる負荷時タップ切換装置に広く適用することができ、例えば、奇数タップ選択器側及び偶数タップ選択器側の双方に限流抵抗器を設ける形式の負荷時タップ切換装置にも本発明を適用することができる。
【００６９】
【発明の効果】
以上のように、本発明によれば、補助駆動バネと、真空バルブを駆動する駆動軸に取り付けられた補助駆動カムと、補助駆動バネに連結機構を介して連結されるとともに補助駆動カムのカム面に当接させられた補助従動ローラとを設けて、切換開閉器の各真空バルブをオフ状態にする過程よりも前の過程で補助駆動バネを蓄勢する側に補助従動ローラを変位させ、各真空バルブをオフ状態にする過程で補助駆動バネの付勢力を駆動軸に付与する側に補助従動ローラを変位させるように補助駆動カムのカム面を形成したので、真空バルブをワイプバネの付勢力に抗してオフ状態にする際に、補助駆動バネの付勢力を駆動軸に与えて、真空バルブのオフ動作を行う際の負荷トルクを軽減することができる。従って、切換開閉器の切換動作を開始した後、最初に切換開閉器の真空バルブをオフ状態にする際に、駆動トルクが不足するのを防いで、真空バルブのオフ動作開始点がばらつくのを防ぐことができる。
【００７０】
また、本発明において、切換開閉器の切換動作を開始した後、最初に行われる補助駆動バネの蓄勢過程を、真空バルブをオン状態にするためにワイプバネの蓄勢力を解放する過程とオーバラップさせるようにした場合には、ワイプバネの付勢力を補助駆動バネの蓄勢に利用することができるため、駆動軸の回転を開始した直後の駆動トルクが小さい期間においても補助駆動バネに十分に大きな力を蓄えて、続いて行われる真空バルブのオフ動作を確実に行わせることができる。
【図面の簡単な説明】
【図１】本発明の実施形態のタップ切換動作開始時における要部の構成を示した平面図である。
【図２】図１のＡ２−Ａ２線に沿って断面して示した主駆動カムの断面図である。
【図３】図１の実施形態で用いる主駆動カムを同図のＡ３−Ａ３線に沿って断面して示した断面図である。
【図４】本発明の実施形態のタップ切換動作終了時における要部の構成を示した平面図である。
【図５】図４のＡ５−Ａ５線に沿って断面して示した主駆動カムの断面図である。
【図６】図４のＡ６−Ａ６線に沿って断面して示した主駆動カムの断面図である。
【図７】図４のＡ７−Ａ７線断面図である。
【図８】図７を下方から見て示した要部の底面図である。
【図９】（Ａ）ないし（Ｆ）は本発明が対象とする負荷時タップ切換装置の動作を示す説明図である。
【図１０】本発明の実施形態で用いる切換開閉器の駆動装置の駆動軸の回転角に対する負荷トルク特性と、真空バルブの動作シーケンスとを示したグラフである。
【符号の説明】
Ｍ１，Ｒ，Ｍ２…真空バルブ、ＳＷ…切換開閉器、Ｔｓｆ…調整変圧器、２…真空バルブの可動軸、４…駆動軸、５…主駆動カム、９…主駆動レバー、１３…ワイプバネ、１６…補助駆動レバー、１８…補助駆動カム、１９…補助従動ローラ、２２…補助駆動バネ。
【図１】
2004023026.tif 000002
【図２】
2004023026.tif 000003
【図３】
2004023026.tif 000004
【図４】
2004023026.tif 000005
【図５】
2004023026.tif 000006
【図６】
2004023026.tif 000007
【図７】
2004023026.tif 000008
【図８】
2004023026.tif 000009
【図９】
2004023026.tif 000010
【図１０】
2004023026.tif 000011